【手続補正書】
【提出日】平成20年2月14日(2008.2.14)
【手続補正１】
【補正対象書類名】明細書
【補正対象項目名】特許請求の範囲
【補正方法】変更
【補正の内容】
【特許請求の範囲】
【請求項１】  移植可能な組織近置デバイスであって、以下：
対向する前面と後面とを有する、剛性の支持バッキング；および
直交しない様式で該バッキングから延びる複数の取付け尖端、
を備える、組織近置デバイス。
【請求項２】  前記デバイスが、生分解性材料を含む、請求項１に記載の組織近置デバイス。
【請求項３】  前記支持バッキングが、少なくとも１つの散在した接触領域を備え、そして前記複数の取付け尖端が、該少なくとも１つの散在接触領域に位置している、請求項１に記載の組織近置デバイス。
【請求項４】  前記取付け尖端が、１つより多い形状を有する、請求項１に記載の組織近置デバイス。
【請求項５】  前記取付け尖端が、前記前面から前記後面へと延びる、請求項１に記載の組織近置デバイス。
【請求項６】  前記後面が、補助取付け尖端を備える、請求項５に記載の組織近置デ
バイス。
【請求項７】  前記補助取付け尖端が、前記バッキングから直交しない様式で延びる、請求項６に記載の組織近置デバイス。
【請求項８】  前記取付け尖端が、前記バッキングにおいて密度を変動させる、請求項１に記載の組織近置デバイス。
【請求項９】  前記取付け尖端が、前記バッキングにおいて長さを変動させる、請求項１に記載の組織近置デバイス。
【請求項１０】  前記デバイスがまた、中心部を備え、そして前記取付け尖端が、該デバイスの該中心部に近付くにつれて、次第に短くなる、請求項１に記載の組織近置デバイス。
【請求項１１】  前記取付け尖端が、前記バッキングにおいて配向を変動させる、請求項１に記載の組織近置デバイス。
【請求項１２】  前記バッキングが、複数の開口部を備え、該開口部を通して、前記取付け尖端が配置される、請求項１に記載の組織近置デバイス。
【請求項１３】  前記取付け尖端が、フランジまたはハブによって前記バッキングに固定されている、請求項１２に記載の組織近置デバイス。
【請求項１４】  前記取付け尖端が、該取付け尖端と同じ材料から実質的になるバッキングのストリップから延びる、請求項１に記載の組織近置デバイス。
【請求項１５】  前記バッキングが、対向する端部領域、および該対向する端部領域の間に位置する中央領域を備える、請求項１に記載の組織近置デバイス。
【請求項１６】  前記複数の取付け尖端が、前記対向する端部領域に位置する、請求項１５に記載の組織近置デバイス。
【請求項１７】  前記中央領域が、取付け尖端を有さない、請求項１６に記載の組織近置デバイス。
【請求項１８】  第１端部領域および第２端部領域を備える、請求項１に記載の組織近置デバイスであって、該第１端部領域が、延びている取付け尖端を有し、そして該第２端部領域が、該第１端部領域に対向し、そして前記バッキングを通る１つ以上の開口部を有する、デバイス。
【請求項１９】  前記第１端部領域の取付け尖端が、前記第２端部に向かって傾斜している、請求項１８に記載の組織近置デバイス。
【請求項２０】  前記バッキングが、管状形状であり、そして外側表面、第１端部、および該第１端部に対向する第２端部を有する、請求項１に記載の組織近置デバイス。
【請求項２１】  前記外側表面が、前記第１端部上に、前記第２端部に向いて傾斜した取付け尖端を備える、請求項２０に記載の組織近置デバイス。
【請求項２２】  前記外側表面が、前記第２端部上に、前記第１端部に向いて傾斜した取付け尖端をさらに備える、請求項２１に記載の組織近置デバイス。
【請求項２３】  前記バッキングが、クランプの側部を備える、請求項１に記載の組織近置デバイス。
【請求項２４】  前記クランプが、第１端部および第２端部を備える、請求項２３に記載の組織近置デバイス。
【請求項２５】  前記第１端部が組織を把持し、そして前記第２端部が組織のためのアンカーを備える、請求項２４に記載の組織近置デバイス。
【請求項２６】  前記アンカーが、ピン、釘、またはネジを備える、請求項２５に記載の組織近置デバイス。
【請求項２７】  前記バッキングが螺旋形状である、請求項１に記載の組織近置デバイス。
【請求項２８】  前記デバイスが、管状構造の縁部を接続する、バッキングの２つ以上のストリップのアセンブリからなる、請求項１に記載の組織近置デバイス。
【請求項２９】  前記バッキングと一体的なアンカー領域をさらに備える、請求項１に記載の組織近置デバイス。
【請求項３０】  前記バッキングが三角形状を含む、請求項２９に記載の組織近置デバイス。
【請求項３１】  前記取付け尖端が、前記後面から延び、そして前記アンカー領域が、前記前面に配置されている、請求項３０に記載の組織近置デバイス。
【請求項３２】  前記取付け尖端が、各々切子面を規定し、該切子面が、該取付け尖端によって穿刺されるべき組織によって規定される平面に対して垂直であるように構成されている、請求項２９に記載の組織近置デバイス。
【請求項３３】  前記取付け尖端が、前記後面から延びている、請求項２９に記載の組織近置デバイス。
【請求項３４】  前記アンカー領域が、前記バッキングから延びるポストを規定する、請求項２９に記載の組織近置デバイス。
【請求項３５】  前記ポストが前記バッキングの前記前面から延びている、請求項３４に記載の組織近置デバイス。
【請求項３６】  前記ポストが、遠位端および近位端を備え、該近位端が、前記バッキングに一体的に取り付けられている、請求項３４に記載の組織近置デバイス。
【請求項３７】  前記遠位端が面取りされている、請求項３６に記載の組織近置デバイス。
【請求項３８】  前記ポストが、少なくとも１つの空洞を規定している、請求項３６に記載の組織近置デバイス。
【請求項３９】  前記空洞が、前記ポストによって規定される中心軸に沿って規定されている、請求項３８に記載の組織近置デバイス。
【請求項４０】  前記空洞が、前記遠位端に規定されており、そして第２の空洞が、前記近位端に規定されている、請求項３８に記載の組織近置デバイス。
【請求項４１】  前記ポストが、該ポストを軸方向に通って延びる貫通孔をさらに規定する、請求項３６に記載の組織近置デバイス。
【請求項４２】  前記ポストが、一体的なロッキングデバイスをさらに備える、請求項３６に記載の組織近置デバイス。
【請求項４３】  前記一体的なロッキングデバイスが、カラー、部分カラー、タブ、棘、皮質下ウィングおよびこれらの任意の組み合わせからなる群より選択される、請求項４２に記載の組織近置デバイス。
【請求項４４】  前記ポストがネジ状である、請求項３４に記載の組織近置デバイス。
【請求項４５】  前記アンカー領域が、ファスナーを受容するように構成された穴を規定している、請求項２９に記載の組織近置デバイス。
【請求項４６】  前記ファスナーが、ピン、釘、およびネジからなる群より選択される、請求項４５に記載の組織近置デバイス。
【請求項４７】  前記アンカー領域が、接着剤を介して頭蓋に固定されるよう構成されている、請求項２９に記載の組織近置デバイス。
【請求項４８】  前記接着剤がシアノアクリレートを含む、請求項４７に記載の組織近置デバイス。
【請求項４９】  前記ポストが鉤を備える、請求項３４に記載の組織近置デバイス。
【請求項５０】  前記ポストが、予め決定された直交しない角度で前記バッキングから延びている、請求項３４に記載の組織近置デバイス。
【請求項５１】  前記ポストが遠位端を備え、該遠位端が、該ポストによって規定される軸の周囲で放射状に延びるよう構成されている、請求項３４に記載の組織近置デバイス。
【請求項５２】  前記ポストが、ポスト部材間に旋回式に位置する掛金をさらに備える、請求項３４に記載の組織近置デバイス。
【請求項５３】  前記掛金が、前記ポスト部材から角度を付けて離れて延びるよう偏倚されている、請求項５２に記載の組織近置デバイス。
【請求項５４】  前記バッキングと一体的な、少なくとも１つの突出部をさらに備える、請求項２９に記載の組織近置デバイス。
【請求項５５】  前記ポストが、頭蓋に規定される穴によって受容されるよう構成されている、請求項３４に記載の組織近置デバイス。
【請求項５６】  前記アンカー領域が、前記バッキングから延びる少なくとも２つのポストを規定する、請求項２９に記載の組織近置デバイス。
【請求項５７】  前記ポストが互いに隣接している、請求項５６に記載の組織近置デバイス。
【請求項５８】  前記ポストが、前記バッキングによって規定される対称軸に沿って配置されている、請求項５６に記載の組織近置デバイス。
【請求項５９】  前記取付け尖端が、前記バッキングから分離可能であるように構成されている、請求項３４に記載の組織近置デバイス。
【請求項６０】  前記支持バッキングが、分断された骨を整復する際に有用な散在プレート領域、および軟部組織を懸吊する際に有用な散在枝領域を有し、ここで、該支持バッキングが、該プレート領域において、該枝領域におけるより厚い、請求項１に記載の組織近置デバイス。
【請求項６１】  前記プレート領域が少なくとも１つの穴を備える、請求項６０に記載の組織近置デバイス。
【請求項６２】  前記プレート領域に枝がない、請求項６１に記載の組織近置デバイス。
【請求項６３】  前記プレート領域および前記枝領域が、前記支持バッキングと一体的である、請求項６０に記載の組織近置デバイス。
【請求項６４】  前記取付け尖端が、切子面を各々規定し、該切子面が、該取付け尖端によって穿刺されるべき組織によって規定される平面に対して９０°以下であるように構成されている、請求項１に記載の組織近置デバイス。
【請求項６５】  前記取付け尖端が、該前面から延びている、請求項１に記載の組織近置デバイス。
【請求項６６】  前記バッキングの前記後面から延びる床をさらに備える、請求項６５に記載の組織近置デバイスであって、ここで、該床が、修復されるべき骨折した骨のさらなる支持および固定を提供する、組織近置デバイス。
【請求項６７】  前記バッキングの後面から延びるポストをさらに備える、請求項１に記載の組織近置デバイス。
【請求項６８】  前記バッキングにおける前記取付け尖端間に位置する、少なくとも１つのネジ穴をさらに備える、請求項６６に記載の組織近置デバイスであって、ここで、該穴が、該穴を通してファスナーを収容する大きさである、組織近置デバイス。
【請求項６９】  前記バッキングが湾曲している、請求項１に記載の組織近置デバイス。
【請求項７０】  前記バッキングの前記後面が凹状である、請求項６５に記載の組織近置デバイス。
【請求項７１】  剛性の骨折プレートをさらに備える、請求項１に記載の組織近置デバイスであって、該骨折プレートが、伸長部材を介して前記支持バッキングに接続されている、組織近置デバイス。
【請求項７２】  前記伸長部材がネジ様である、請求項７１に記載の組織近置デバイス。
【請求項７３】  前記骨折プレートが、該プレートを骨折部位に固定するための少なくとも１つの骨アンカーを備える、請求項７１に記載の組織近置デバイス。
【請求項７４】  前記デバイスが、等間隔の複数の貫通孔を備える、請求項１に記載の組織近置デバイス。
【請求項７５】  前記デバイスが、少なくとも１種の治療剤を含む、請求項１に記載の組織近置デバイス。
【請求項７６】  前記デバイスが、前記少なくとも１種の治療剤を含浸されている、請求項７５に記載の組織近置デバイス。
【請求項７７】  前記デバイスが、前記少なくとも１種の治療剤でコーティングされている、請求項７５に記載の組織近置デバイス。
【請求項７８】  前記少なくとも１種の治療剤が、タンパク質、医薬、および遺伝物質からなる群より選択される、請求項７７に記載の組織近置デバイス。
【請求項７９】  少なくとも１つの骨アンカーをさらに備える、請求項１に記載の組織近置デバイスであって、該骨アンカーが、細い伸長部材を介して前記バッキングに接合されている、組織近置デバイス。
【請求項８０】  前記伸長部材がネジ様である、請求項７９に記載の組織近置デバイス。
【請求項８１】  ノブをさらに備える、請求項８０に記載の組織近置デバイスであって、該ノブが、前記アンカーに回転式に接続され、そして該アンカーから延びており、該ノブが、前記伸長部材の近位端に接続されており、その結果、該ノブの回転が、該伸長部材の長さを調節する、組織近置デバイス。
【請求項８２】  前記少なくとも１つの骨アンカーが、ピン、鋲、リベット、ネジ、エキスパンダ、およびポストからなる群より選択される、請求項７３に記載の組織近置デバイス。
【請求項８３】  前記伸長部材が、前記支持バッキングとは異なる材料で作製されている、請求項７１に記載の組織近置デバイス。
【請求項８４】  前記伸長部材が、縫合糸様材料で作製されている、請求項７１に記載の組織近置デバイス。
【請求項８５】  前記少なくとも１つの骨アンカーが、ピン、鋲、リベット、ネジ、エキスパンダ、およびポストからなる群より選択される、請求項７９に記載の組織近置デバイス。
【請求項８６】  前記伸長部材が、前記支持バッキングとは異なる材料で作製されている、請求項７９に記載の組織近置デバイス。
【請求項８７】  前記伸長部材が、縫合糸様材料で作製されている、請求項７９に記載の組織近置デバイス。
【請求項８８】  前記少なくとも１つの骨アンカーが、前記骨折プレートと一体的である、請求項７３に記載の組織近置デバイス。
【請求項８９】  組織懸吊手術手順における組織近置のためのシステムであって、以下：
ａ）請求項１〜８８のいずれか１項に記載の移植可能な組織近置デバイスであって、該近置デバイスが、剛性の支持バッキング、および該支持バッキングから延びる少なくとも１つの取付け尖端を備える、移植可能な組織近置デバイスは、下にある骨に固定されるように構成されている、近置デバイス；
ｂ）近置されるべき組織または組織の層を、該近置デバイスに向けて可動化するための手段；ならびに
ｃ）該組織または組織の層を、該近置デバイスに固定するための手段、
を備える、システム。
【請求項９０】  前記組織または組織の層が、頬組織を含む、請求項８９に記載のシステム。
【請求項９１】  前記組織または組織の層の固定が、複数の取付け尖端を介して前記近置デバイス上への固定である、請求項８９に記載のシステム。
【請求項９２】  前記骨が、上顎骨の骨である、請求項８９に記載のシステム。
【請求項９３】  前記近置デバイスが、少なくとも１つのファスナーを介して前記骨に固定される、請求項８９に記載のシステム。
【請求項９４】  前記近置デバイスが、アンカーポストを介して前記骨に固定される、請求項８９に記載のシステム。
【請求項９５】  前記近置デバイスが、前記バッキングから一体的に延びる少なくとも１つの突出部をさらに備え、該突出部は、前記近置デバイスの位置を再調節することを可能にするように構成されている、請求項８９に記載のシステム。